(57)【要約】【課題】  この考案は、色彩の異なったＭＤＦ等の木質素材を積層して、その積層面を表面に露出させた新しいデザインの把手を設け、これらを家具・建具に設けるものであり、新規な家具・建具用把手を開発・提供することにある。【解決手段】  色彩の異なるＭＤＦ等の木質素材（２）（２′）を、順次それぞれ積層して、積層体（１）を設け、該積層体（１）の積層面を加工・形成して積層面部（１ａ）を設け、該積層面部（１ａ）を家具や建具の本体部材（Ｙ）と組み合わせ、該積層面部（１ａ）の底面（１ｂ）に凹部（３）を穿設し、該積層面（１ａ）を家具、建具の把手部（Ｘ）として設けることを特徴とする家具・建具用把手から構成され、また、この積層体（１）で、たんすやチェスト等の家具（Ａ）であって、側面より引き出しが突出した，引き出しの表面材（Ｂ）に設けると、表面だけでなく、両端部にもデザインを露出するため、極めて、傑出したデザインである。【選択図】        図１
0003118322.tif 000002
【実用新案登録請求の範囲】
【請求項１】
色彩の異なる木質素材（２）（２′）を、順次それぞれ積層して、積層体（１）を設け、該積層体（１）の積層面を加工・形成して積層面部（１ａ）を設け、該積層面部（１ａ）を家具や建具の本体部材（Ｙ）の表面に本体部材（Ｙ）と組み合わせ、該積層面部（１ａ）の底面（１ｂ）に凹部（３）を穿設し、該積層面部（１ａ）を家具、建具の把手部（Ｘ）として設けることを特徴とする家具・建具用把手。
【請求項２】
把手部（Ｘ）の積層面部（１ａ）に該当する面に、積層面部（１ａ）と同じ色彩を印刷したプリントシール（４）を貼着することを特徴とする請求項１記載の家具・建具用把手。
【考案の詳細な説明】
【技術分野】
【０００１】
この考案は、家具・建具用把手に関するものである。
【背景技術】
【０００２】
従来、家具・建具の把手には、金属製はもとより、合成樹脂製、木製等が種々存在している。さらに、また、家具・建具の一部を使用して把手とするものも存在する。
【０００３】
しかし、これら木製等の把手は、古く、若者らには、新しいデザインのものが要求されている。例えば、特許文献１のように。
【特許文献１】特開２００４−６５５５８号公報
【考案の開示】
【考案が解決しようとする課題】
【０００４】
しかし、この考案は、上記とは異なり、色彩の異なったＭＤＦ等の木質素材を積層して、その積層面を表面に露出させた新しいデザインの把手を設け、これらを家具・建具に設けるものであり、新規な家具・建具用把手を開発・提供することにある。
【課題を解決するための手段】
【０００５】
そして、この考案は、若者達に人気のある新たなデザインを、色彩の異なったＭＤＦ等の木質素材を積層して積層体を設け、該積層体の積層面に表れた模様を、家具・建具用把手のデザインに利用しようとするものである。
【考案の効果】
【０００６】
この考案によると、複数枚の色彩の異なったＭＤＦ等の木質素材を用いて、これらを積層して接着することにより、積層体を形成し、積層面を表面に露出することにより、新たな家具・建具のデザインとなる等の極めて有益なる効果を奏するものである。
【０００７】
また、この積層体（１）で、チェスト等の家具（Ｚ）であって、側面より引き出しが突出した、引き出しの本体部材（Ｙ）に設けると、表面だけでなく、両端部にもデザインを露出するため、極めて、傑出したデザインとなる等の効果を奏する。
さらに、家具ではベッド、ＴＶボード、建具ではドアなど幅広く利用できる。
【考案を実施するための最良の形態】
【０００８】
この考案の一実施例を図面により詳述すると、色彩の異なるＭＤＦ等の木質素材（２）（２′）を、順次それぞれ積層して、積層体（１）を設け、該積層体（１）の積層面を加工・形成して積層面部（１ａ）を設け、該積層面部（１ａ）を家具や建具の表面に本体部材（Ｙ）と組み合わせ、露出して設け、該積層面部（１ａ）の底面（１ｂ）に凹部（３）を穿設し、該積層面部（１ａ）を家具、建具の把手部（Ｘ）として設けることを特徴とする家具・建具用把手から構成される。
【０００９】
そして、この積層体（１）の積層面部（１ａ）を家具・建具に使用する本体部材（Ｙ）のうち、図３、図４に示すように家具の一例である、チェスト等の引き出しを有する家具（Ｚ）の一部表面に使用して、側面より引き出しが突出した該家具（Ｚ）においては、積層体（１）を引き出しに設けると、引き出しの表面だけでなく、両端部にも積層体（１）のデザインが露呈するため、極めて、傑出したデザインとなる。
【００１０】
また、把手部（Ｘ）の積層面部（１ａ）に該当する面に、積層面部（１ａ）と同じ色彩を印刷したプリントシール（４）を貼着して、積層面部（１ａ）を表すこともできる。
【産業上の利用可能性】
【００１１】
この考案は、色彩の異なるＭＤＦ等の木質素材を、順次それぞれ積層して、積層体の製造技術を確立し、かつ、実際に家具・建具の製造することにより、産業上の利用可能性を有する。
【図面の簡単な説明】
【００１２】
【図１】この考案の一実施例を示し、（Ａ）はＭＤＦ等の木質素材を組み立て状態を示す斜視図、（Ｂ）は、積層体としたした斜視図、（Ｃ）は、把手材に加工した斜視図である。
【図２】この考案の一実施例を示す引き出しであり、（Ａ）は斜視図であり、（Ｂ）は断面図である。
【図３】この考案の積層体を利用した家具の斜視図である。
【図４】この考案の積層体を利用した家具の斜視図である。
【符号の説明】
【００１３】
１  積層体
１ａ  積層面部
１ｂ  底面
２  色彩の異なるＭＤＦ等の木質素材
２′色彩の異なるＭＤＦ等の木質素材
３  凹部
４  プリントシール
Ｘ  把手部
Ｙ  本体部材
Ｚ  家具
【図１】
0003118322.tif 000003
【図２】
0003118322.tif 000004
【図３】
0003118322.tif 000005
【図４】
0003118322.tif 000006
【手続補正書】
【提出日】平成17年10月26日(2005.10.26)
【手続補正１】
【補正対象書類名】実用新案登録請求の範囲
【補正対象項目名】全文
【補正方法】変更
【補正の内容】
【実用新案登録請求の範囲】
【請求項１】
色彩の異なる木質素材（２）（２′）を、順次それぞれ積層して、積層体（１）を設け、該積層体（１）の積層面を加工・形成して積層面部（１ａ）を設け、該積層面部（１ａ）を家具本体部材（Ｙ）の表面に本体部材（Ｙ）と組み合わせ、該積層面部（１ａ）の底面（１ｂ）に凹部（３）を穿設し、該積層面部（１ａ）を家具、建具の把手部（Ｘ）を有することを特徴とする家具。
【請求項２】
色彩の異なる木質素材（２）（２′）を、順次それぞれ積層して、積層体（１）を設け、該積層体（１）の積層面を加工・形成して積層面部（１ａ）を設け、該積層面部（１ａ）を建具の本体部材（Ｙ）の表面に本体部材（Ｙ）と組み合わせ、該積層面部（１ａ）の底面（１ｂ）に凹部（３）を穿設し、該積層面部（１ａ）を家具、建具の把手部（Ｘ）を有することを特徴とする建具。
【請求項３】
把手部（Ｘ）の積層面部（１ａ）に該当する面に、積層面部（１ａ）と同じ色彩を印刷したプリントシール（４）を貼着することを特徴とする請求項１または２記載の家具・建具用把手。
【手続補正書】
【提出日】平成17年11月16日(2005.11.16)
【手続補正１】
【補正対象書類名】実用新案登録請求の範囲
【補正対象項目名】全文
【補正方法】変更
【補正の内容】
【実用新案登録請求の範囲】
【請求項１】
色彩の異なる木質素材（２）（２′）を、順次それぞれ積層して、積層体（１）を設け、該積層体（１）の積層面を加工・形成して積層面部（１ａ）を設け、該積層面部（１ａ）を家具本体部材（Ｙ）の表面に本体部材（Ｙ）と組み合わせ、該積層面部（１ａ）の底面（１ｂ）に凹部（３）を穿設し、該積層面部（１ａ）を家具、建具の把手部（Ｘ）を有することを特徴とする家具・建具用把手。
【請求項２】
色彩の異なる木質素材（２）（２′）を、順次それぞれ積層して、積層体（１）を設け、該積層体（１）の積層面を加工・形成して積層面部（１ａ）を設け、該積層面部（１ａ）を建具の本体部材（Ｙ）の表面に本体部材（Ｙ）と組み合わせ、該積層面部（１ａ）の底面（１ｂ）に凹部（３）を穿設し、該積層面部（１ａ）を家具、建具の把手部（Ｘ）を有することを特徴とする家具・建具用把手。
【請求項３】
把手部（Ｘ）の積層面部（１ａ）に該当する面に、積層面部（１ａ）と同じ色彩を印刷したプリントシール（４）を貼着することを特徴とする請求項１または２記載の家具・建具用把手。